(57)【要約】  【課題】親テーブルと子テーブルを、簡易な操作で任意の位置においてロックすることができる伸縮テーブルを提供すること。  【解決手段】親テーブル１と、親テーブル１の中に収容される子テーブル２からなり、親テーブル１から引き出された子テーブル２の天板２１の天面と親テーブル１の天板１１の天面を面一に合わせる子天板リフト及びリフト解除を、子テーブル２の裏面に配置された引手ハンドルの操作で行う伸縮テーブル。【選択図】        図２
2006346362.tif 000002
【特許請求の範囲】
【請求項１】
天板と、該天板から下方へ延びる脚部を備える親テーブルと、該親テーブルの脚部より短い子脚部を有する子脚部体と、該子脚部体に載置される該親テーブルの天板より小さな子天板を有する子天板部を備え、且つ該親テーブルの長手方向にスライド自在に嵌合する子テーブルからなり、該親テーブルから引き出された該子テーブルの天板の天面と該親テーブルの天板の天面を面一に合わせる子天板リフト及びリフト解除を、該子テーブルに配置された引手ハンドルの操作で行うことを特徴とする伸縮テーブル。
【請求項２】
前記子天板リフト及びリフト解除手段が、引手ハンドルの回転操作により該子脚部体に付設される可動側係合体を短手方向に移動させるリフト操作手段と、該可動側係合体の短手方向の一方向の移動に連動して該子天板部の裏面に付設される固定側係合体を上昇させて子天板をリフトし、該可動側係合体の短手方向の他方向の移動に連動して該固定側係合体を下降させて子天板リフトを解除するリフト係合手段とを有することを特徴とする請求項１記載の伸縮テーブル。
【請求項３】
該可動側係合体は、引手ハンドルの回転操作に連動する操作桿のピニオンに螺合するラックと、該子脚部体における短手方向の移動をガイドするガイド部と、該固定側係合体に係合する落差のあるスロープを備えることを特徴とする請求項２記載の伸縮テーブル。
【請求項４】
更に、該親テーブルと該子テーブルの任意の嵌合位置におけるロック及び該ロックの解除を、該引手ハンドルの引手操作で行うことを特徴とする請求項１〜３のいずれか１項に記載の伸縮テーブル。
【請求項５】
前記ロック及び該ロックを解除する手段が、引手ハンドルの引手操作により該テーブルの長手方向に操作桿を前進又は後退させるロック操作手段と、該操作桿の後退又は前進に連動して上昇する浮動体を該親テーブルと該子テーブルの間に介在させてロックし、該操作桿の前進又は後退に連動して下降する該浮動体を該親テーブルと該子テーブル間から外して該ロックを解除するロック係合手段とを有することを特徴とする請求項４記載の伸縮テーブル。
【請求項６】
前記ロック操作手段が、該子テーブルの裏面に該子テーブルに対して前後方向に移動自在に配設されるものであって、該子テーブルの前部側に設置される引手と、該子テーブルの後部側に設置される上端面にスロープを付けた変形縦板と、該引手と該変形縦板を接続する操作桿であることを特徴とする請求項４記載の伸縮テーブル。
【請求項７】
前記ロック係合手段が、該子テーブルの後部側に配設される子ロック穴を有する子ロックプレートと、親テーブルの天板の裏面で該テーブルの長手方向に所定のピッチで配される複数個の親ロック穴を有する親ロックプレートと、前記操作桿の後部側に立設する変形縦板の上端面に載置される浮動体とを備えることを特徴とする請求項４記載の伸縮テーブル。
【発明の詳細な説明】
【技術分野】
【０００１】
本発明は、オフィス、学校、一般家庭内において使用される、親テーブルから引き出された子テーブルの天面を親テーブルの天面と面一にできる伸縮テーブルに関する。
【背景技術】
【０００２】
テーブルにはオフィス等で使用する片袖タイプ、両袖タイプのスチールテーブル、大会議室で使用する折り畳み自在の長手方向に長い天板を備えるテーブル、あるいは天板と該天板の裏面４隅から下方へ延びる４つの脚部を備えるシンプル構造のテーブルなど種々のものがある。
【０００３】
近年、伸縮テーブルが、別途の保管場所を必要とせず、１つのテーブルで小さく使え、時には長手方向に広く使えることなど便利であり、種々の機構のものが提案されている（実開平６−３３５２４号公報、実用新案登録第３１０８９８３号公報、実開平６−５２５６２号公報）。
【特許文献１】実開平６−３３５２４号公報
【特許文献２】実用新案登録第３１０８９８３号公報
【特許文献３】実開平６−５２５６２号公報
【発明の開示】
【発明が解決しようとする課題】
【０００４】
しかしながら、従来の親テーブルから子テーブルを引き出す伸縮型テーブルにおいては、親テーブルの天面と子テーブルの天面が一致せず、段差が生じて、使い勝手がよくないか、あるいは親テーブルの天面と子テーブルの天面を面一とするための別途のサブ板が必要であった。また、従来の伸縮型テーブルには親テーブルと子テーブルをロックするロック機構が装填されていない。このため、不意の衝撃などにより、子テーブルが飛び出すことがあった。また、収納状態において、親子のテーブルがロックされていないと、子テーブルを引き出す際、思わぬ事故を招来することもあった。
【０００５】
従って、本発明の目的は、伸長状態において、親テーブルと子テーブルのそれぞれの天面を面一とすることができる伸縮テーブルを提供し、また、本発明の他の目的は、更に親テーブルと子テーブルを、簡易な操作で任意の位置においてロックすることができる伸縮テーブルを提供することにある。
【課題を解決するための手段】
【０００６】
かかる実情において、本発明者は鋭意検討を行った結果、子テーブルに、親テーブルから引き出された該子テーブルの天板の天面と該親テーブルの天板の天面を面一に合わせる子天板リフト及びリフト解除手段を子テーブルに配置された引手ハンドルの操作から行う伸縮テーブルであれば、伸長状態において、段差がなく使い勝手がよいこと、更に親テーブルと子テーブルの任意の嵌合位置におけるロック及び該ロックの解除を、該同一の引手ハンドルの操作で行えば、親テーブルと子テーブルを簡易な操作で任意の位置においてロックすることができることなどを見出し、本発明を完成するに至った。
【０００７】
すなわち、本発明は、天板と、該天板から下方へ延びる脚部を備える親テーブルと、該親テーブルの脚部より短い子脚部を有する子脚部体と、該子脚部体に載置される該親テーブルの天板より小さな子天板を有する子天板部を備え、且つ該親テーブルの長手方向にスライド自在に嵌合する子テーブルからなり、該親テーブルから引き出された該子テーブルの天板の天面と該親テーブルの天板の天面を面一に合わせる子天板リフト及びリフト解除を、該子テーブルに配置された引手ハンドルの操作で行う伸縮テーブルを提供するものである。
【０００８】
また、本発明は、前記子天板リフト及びリフト解除手段が、引手ハンドルの回転操作により該子脚部体に付設される可動側係合体を短手方向に移動させるリフト操作手段と、該可動側係合体の短手方向の一方向の移動に連動して該天板部の裏面に付設される固定側係合体を上昇させて天板をリフトし、該可動側係合体の短手方向の他方向の移動に連動して該固定側係合体を下降させて天板リフトを解除するリフト係合手段とを有する前記伸縮テーブルを提供するものである。
【０００９】
また、本発明は、該可動側係合体は、引手ハンドルの回転操作に連動する操作桿のピニオンに螺合するラックと、該子脚部体における短手方向の移動をガイドするガイド部と、該固定側係合体に係合する落差のあるスロープを備える前記伸縮テーブルを提供するものである。
【００１０】
また、本発明は、更に、該親テーブルと該子テーブルの任意の嵌合位置におけるロック及び該ロックの解除を、該引手ハンドルの引手操作で行う前記伸縮テーブルを提供するものである。
【００１１】
また、本発明は、前記ロック及び該ロックを解除する手段が、引手ハンドルの引手操作により該テーブルの長手方向に操作桿を前進又は後退させるロック操作手段と、該操作桿の後退又は前進に連動して上昇する浮動体を該親テーブルと該子テーブルの間に介在させてロックし、該操作桿の前進又は後退に連動して下降する該浮動体を該親テーブルと該子テーブル間から外して該ロックを解除するロック係合手段とを有する前記伸縮テーブルを提供するものである。
【００１２】
また、本発明は、前記ロック操作手段が、該子テーブルの裏面に該子テーブルに対して前後方向に移動自在に配設されるものであって、該子テーブルの前部側に設置される引手と、該子テーブルの後部側に設置される上端面にスロープを付けた変形縦板と、該引手と該変形縦板を接続する操作桿である前記伸縮テーブルを提供するものである。
【００１３】
また、本発明は、前記ロック係合手段が、該子テーブルの後部側に配設される子ロック穴を有する子ロックプレートと、親テーブルの天板の裏面で該テーブルの長手方向に所定のピッチで配される複数個の親ロック穴を有する親ロックプレートと、前記操作桿の後部側に立設する変形縦板の上端面に載置される浮動体とを備える前記伸縮テーブルを提供するものである。
【発明の効果】
【００１４】
本発明の子天板リフト及びリフト解除手段を装填した伸縮テーブルによれば、親テーブルから引き出され伸長状態にある子テーブルを引手ハンドルの簡単な操作で、子テーブルの天板を浮上させることができる。このため、親テーブルと子テーブルの天板の天面は面一となり、使い勝手がよくなる。また、更にロック及びロック解除手段を備えたテーブルであれば、親テーブルと子テーブルを同じ引手ハンドルの簡易な操作で任意の位置においてロックすることができる。また、任意の位置を、少なくとも収納位置及び使用最大伸長位置とすれば、不意の衝撃などにより、子テーブルが飛び出すことはなく、収納状態において子テーブルを引き出す際の思わぬ事故も回避できる。
【発明を実施するための最良の形態】
【００１５】
本発明の伸縮テーブルは、子天板リフト及びリフト解除手段を装填した伸縮テーブルと、子天板リフト及びリフト解除手段、並びにロック及びロック解除手段を共に装填した伸縮テーブルの２種類であるが、以下、子天板リフト及びリフト解除手段、並びにロック及びロック解除手段を共に装填した伸縮テーブルについて説明する。
【００１６】
本発明の実施の形態における伸縮テーブルを図１〜図２５を参照して説明する。図１〜図４は本実施の形態における伸縮テーブルの縮小状態から天板がリフトされた伸長状態までを説明する斜視図、図５〜図１０は本例の伸縮テーブルの縮小状態から天板がリフトされた伸長状態までを説明する天板の裏側から見た斜視図、図１１〜図１５は本例の伸縮テーブルの縮小状態から天板がリフトされた伸長状態までを説明する天板の裏側で後方から前方に向けて見た一部の斜視図、図１６〜図１８は正面視における子天板の動きを説明する一部を断面で示す図、図１９は浮動球がロック位置にある状態を示す図、図２０は図１９の一部を破断して示す図、図２１は浮動球がロック解除位置にある状態を示す図、図２２は縮小状態にある親ロックプレートと子ロックプレートの位置関係を示す図、図２３は使用最大伸長状態にある親ロックプレートと子ロックプレートの位置関係を示す図、図２４は浮動球がロック解除位置にある状態の断面図、図２５は浮動球がロック位置にある状態の断面図をそれぞれ示す。また、本明細書において、子テーブルが伸縮する方向（長手方向とも言う）において、子テーブルが引き出される方向が「前」、押し戻される（後退する）方向が「後」である。また、図１１〜１５中、矢印Ｘが前方側、矢印Ｙが後方側を示す。
【００１７】
伸縮テーブル１０は、矩形状の天板１１と、天板１１の裏面４隅から下方に延びる４つの脚部１２とを備える親テーブル１と、親テーブル１の脚部１２より短い２つの子脚部２２を備える子脚部体と、該子脚部体に載置される親テーブル１の天板１１より小さな子天板２１を有する子天板部２１ａを備え、親テーブル１の長手方向にスライド自在に嵌合する子テーブル２からなり、図１に示す縮小位置において、子テーブル２は親テーブル１の中に収容される。子脚部２２にはキャスター２９が付設されている。
【００１８】
また、親テーブル１の天板１１の裏面の４つの縁部には、脚部間に差し渡しで補強用の桟部材１３ａ、１３ｂ、１３ｃが付設されている。このうち、子テーブル２が出没する側の桟部材１３ａは、子テーブル２の天板２１と桟部材２３ａ、２３ｂが出入りする空間を空けて付設されている（図７）。親テーブル１の天板１１の裏面中央の後部を除く、前方位置には親ロックプレート４１が固設され、左右両側の桟部材１３ｂには任意の構成要素であるガイド溝１５及び前部脚部内側には任意の構成要素であるガイドローラー１３５が付設されている。親ロックプレート４１は係合手段の一要素であり、前後方向に所定のピッチで親ロック穴４５を複数個有している。親ロックプレート４１の最後尾の親ロック穴４５（図２２の符号ａ）は縮小位置を決定し、最前側の親ロック穴４５（図２３の符号ｄ）は使用最大伸長位置を決定する。親ロック穴４５は浮動球４２の径よりやや大きくして、不動球４２の出没を容易にすると共に、親テーブル１と子テーブル２の安定なロック状態を付与する。浮動球はこれに限定されず、浮動円筒などであってもよい。この場合、親ロック穴４５及び子ロック穴４３の穴形状は、当該浮動体の形状に合わせて決定される。
【００１９】
子テーブル２の子脚部体において、脚部間に差し渡しで前部の桟部材２３ａと、側部桟部材２３ｂが付設されている（図７）。前部の桟部材２３ａは幅広の部材とし、中央には引手ハンドル３３を収容すると共に、引手ハンドル３３の前後移動距離を確保した空間８１を設けている。また、子脚部体の後部には、左右の桟部材２３ｂに差し渡しで、第１後方横部材８ａ、及びそれより所定寸法後方へ離間して第２後方横部材８ｂを有する（図５）。前部の桟部材２３ａの後側及び第１後方横部材８ａの前側には、リフト係合手段６を構成する可動側係合体６が付設されている。第１後方横部材８ａ及び第２後方横部材８ｂは、操作棒（操作桿）３２を後方側で遊嵌状態に支持すると共に、ロック係合手段４を支持するものである。子テーブル２の左右の桟部材２３ｂには、親テーブル１のガイド溝１５にガイドされる突起部（不図示）が付設されている。なお、子天板２１を有する子天板部２１ａは、２つの子脚部２２と桟部材２３ａ、２３ｂで形成される子脚部体に載置された形態を採る。また、操作棒３２は２重管構造であり、引手ハンドル３３の前進又は後退の操作は内管のみに連動し、引手ハンドル３３の回転操作はキー（不図示）の嵌合により外管に連動する。
【００２０】
伸縮テーブル１０において、親テーブル１から引き出された子テーブル２の子天板２１の天面と親テーブル１の親天板１１の天面を面一に合わせる子天板リフト及びリフト解除手段は、引手ハンドル３３の回転操作により、子脚部体の桟部材２３ａと第１後方部材８ａにそれぞれ付設される可動側係合体６を該部材における短手方向に移動させるリフト操作手段と、可動側係合体６の短手方向の一方向の移動に連動して子天板部２１ａの裏面に付設される固定側係合体である滑車７を上昇させて子天板２１をリフトし、可動側係合体６の短手方向の他方向の移動に連動して滑車７を下降させて子天板リフトを解除するリフト係合手段とを有する。
【００２１】
可動側係合体６は、前部の桟部材２３ａの後側及び第１後方横部材８ａの前側において、該部材における短手方向に移動自在、且つ互いに対向する位置に設置されている。これら一対の可動側係合体６は互いに同じ構成要素及び同じ作用であるため、前部の桟部材２３ａの可動側係合体６について説明する。可動側係合体６は、引手ハンドル３３の回転操作に連動する操作棒３２のピニオン３７に螺合するラック６１と、桟部材２３ａの短手方向の移動をガイドする左右２つのガイド穴６２と、滑車７に係合する落差のあるスロープ６３を備える。すなわち、可動側係合体６は、桟部材２３ａに固定される２つの突起７１に左右２つのガイド穴６２がそれぞれ遊嵌しており、操作棒３２の内管に中央のガイド穴６２が遊嵌している。スロープ６３は可動側係合体６の左右の上端に付設され、落差は縮小位置における親テーブル１の天面と子テーブル２の天面との差である。スロープ６３に係合する子天板部２１ａに固設される滑車７の大きさは、スロープ６３上を円滑に移動可能であると共に、最下部および最上部において安定した位置決めができるものである（図１１）。
【００２２】
リフト操作手段は、引手ハンドル３３と、引手ハンドル３３と連動する操作棒３２と、操作棒３２に付設されたピニオン３７と、ピニオン３７に螺合するラック６１とからなる。また、リフト係合手段は、可動側係合体６のスロープ６３と、スロープ６３と係合する子天板部２１ａに固設される滑車７からなる。
【００２３】
伸縮テーブル１０において、親テーブル１及び子テーブル２を任意の嵌合位置でロックしたり、そのロックを解除する手段は、引手ハンドル３３の引手操作によりテーブルの長手方向に操作棒（操作桿）３２を前進又は後退させるロック操作手段３と、操作棒３２の後退又は前進（本例では後退）に連動して上昇する浮動球４２を親ロックプレート４１の親ロック穴４５と子ロックプレート２１の子ロック穴４６間に介在させてロックし、操作棒３２の前進又は後退（本例では前進）に連動して下降する浮動球４２を親ロックプレート４１の親ロック穴４５と子ロックプレート２１の子ロック穴４６間から外して該ロックを解除するロック係合手段４とからなる。
【００２４】
ロック操作手段３は、子テーブル２の裏面に子テーブル２に対して前後方向に移動自在に配設されるものであって、子テーブル２の前部側に設置される引手ハンドル３３と、子テーブル２の後部側に設置される上端面にスロープ３１１を付けた変形縦板３１と、引手ハンドル３３と変形縦板３１を接続し、前方桟部材２３ａ、第１後方横部材８ａ及び第２後方横部材８ｂを貫通する操作棒３２からなる。引手ハンドル３３、操作棒３２及び変形縦板３１は一体化されており、且つ第１後方横部材８ａと変形縦板３１間に介在する付勢バネ３２１により、全体が後方へ付勢されている（ロック状態）と共に、引手ハンドル３３をバネ付勢に抗して引くことで所定寸法（変形縦板３１の長さ）分、前方に引くことができる（ロック解除状態）。但し、操作棒３２と変形縦板３１は、後部側において、操作棒３２が回転しても変形縦板３１が空転する嵌め合いとなっている。変形縦板３１は矩形状の板状物の上方が後方下りのスロープ断面となるように加工されたものであり、スロープの上下差は浮動球４２の半径よりやや大きくしている。なお、引手ハンドル３３は本例では前方の桟部材２３ａ内の空間８１に収容され、操作する者あるいはテーブルを使用する者からは見えない位置にあるが、これに限定されず、子テーブル２内において適宜決定される。
【００２５】
ロック係合手段４は、図１９〜図２５に示すように、子テーブル２の第１後方横部材８ａ及び第２後方横部材８ｂ間の中央に差し渡しで配設される子ロック穴４６を有する子ロックプレート４３と、子ロックプレート４３に対向する位置であって、親テーブル１の天板１１の裏面の長手方向に所定のピッチで配される複数個の親ロック穴４５を有する親ロックプレート４１と、操作棒３２の後部側に立設する変形縦板３１の上端面に載置される浮動球４２とから構成される。子ロック穴４６の位置は、引手ハンドル３３を操作しない状態、すなわち操作棒３２の後退位置において、変形縦板３１のスロープ３１１の最上部に載置された浮動球４２が嵌る位置である。また、第１後方横部材８ａ及び第２後方横部材８ｂ間で且つ子ロックプレート４３の下方には、第１後方横部材８ａ及び第２後方横部材８ｂに差し渡しで一対のガイド板４４が浮動球４２の径よりやや大きめの寸法離間して設置される。これにより、変形縦板３１のスロープ３１１に載置された浮動球４２の位置が安定する。図１９及び図２０で示すロック状態において、引手ハンドル３３が所定ストローク分引かれると、浮動球４２は変形縦板３１の前進、すなわち、スロープ３１１の前進により下降する。そして、浮動球４２がスロープの最下段に位置すると、浮動球４２は子ロックプレート４３の子ロック穴４６から頭が出ないようになっている。親ロックプレート４１に形成される親ロック穴４５は、親テーブル１と子テーブル２の位置関係を定めるものであるため、小さなピッチで多数付設すれば、子テーブル２の伸長長さを種々決定できる。
【００２６】
次に、伸縮テーブル１０の使用方法について説明する。図１の伸縮位置（収納状態）にある伸縮テーブル１０は、親ロックプレート４１と子ロックプレート４３が、図２２に示すような位置関係にある。すなわち、親ロックプレート４１の最後尾の親ロック穴ａと子ロックプレート４３が上下方向において一致している。更に操作棒３２が後退状態にあり、変形縦板３１のスロープ３１１の最上部に位置する浮動球４２は、子ロック穴４６と親ロック穴ａの双方に嵌合している（図１９、２２）。従って、親テーブル１と子テーブル２はロックされた状態であって、不意の外力が作用しても子テーブル２が親テーブル１から飛び出すことはない。また、図１１及び図１６に示すように、子天板部２１ａ側にある滑車７は可動側係合体６のスロープ６３の最下部に位置している。
【００２７】
この状態から、子テーブル２を引き出すには、引手ハンドル３３を所定のストローク分手前（前方側）に引く。本例の場合、所定のストロークは前方桟部材２３ａの空間８１の幅で決定している。このため、操作をする者は引手ハンドル３３をストローク分を気にすることなく、引手ハンドル３３が部材に当たるまで引けばよい（図５及び図６、図１１及び図１２）。引手ハンドル３３の引張りで、操作棒３２が前進し、変形縦板３１のスロープ３１１の最上部に位置する浮動球４２は、最下部に移動（下降）して、子ロック穴４６から頭がでない状態となり、親ロックプレート４１と子ロックプレート４３の嵌合状態が解除される（図８）。この状態において、親テーブル１と子テーブル２間の動きを拘束するものはなく、更に引手ハンドル３３を子テーブル２ごと前方に引けば、子テーブル２を親テーブル１から容易に引き出すことができる。
【００２８】
親テーブル１から子テーブル２を、例えば子テーブル２の長さの１/４程度出す場合、操作をする者は、その位置近傍で、おおよの当たりを付けて引手ハンドル３３を離す。すると、操作棒３２は後退して、浮動球４２は変形縦板３１のスロープ３１１の最上部にくる。この場合、浮動球４２が親ロックプレート４１の親ロック穴ｂに嵌合するとは限らず、親ロックプレート４１の平板部分に当たるが、そのまま引手ハンドル３３を前後方向に動かし浮動球４２が子ロック穴４６と親ロック穴ｂの双方に嵌合するまで微小調整する。親ロックプレート４１の平板部分と浮動球４２が当接して相対移動しても、浮動球４２は球部材であり、且つ転動するため摩擦抵抗は小さい。浮動球４２が子ロック穴４６と親ロック穴ｂの双方に嵌合すれば、子テーブル２は、子テーブル２の長さの１/４程度突出した状態で親テーブル１に固定される。
【００２９】
子テーブル２を使用最大伸長位置にする場合、操作をする者は、引手ハンドル３３に手を掛けて図１２中の矢印ａ方向に引き、テーブル２共々、前方側に引き出す。子テーブル２が親テーブル１から抜けないように配置されたストッパー部材、本例ではガイド溝１５とガイド溝１５に係合する突起部が当接するまで最大長引き出し、その後、前記同様に引手ハンドル３３を離す（図２、図７及び図１２）。この状態において、浮動球４２は親ロックプレート４１の天板部分に当接しており、親テーブル１の親天板１１と子テーブル２の子天板２１とは前後方向において隙間ｘを有している（図３、図７）。次に、子天板リフト操作に入る。先ず、引手ハンドル３３を下方（図１３中矢印ｂ）へ９０度回転させ（図８、図１３及び図１７）、更に同方向（図１４中矢印ｄ）に９０度回転させる（図９、図１４及び図１８）。引手ハンドル３３の合計１８０度の回転により、操作棒３２が連動して回転し、操作棒３２に付設されるピニオン３７の回転がラック６１に伝わり、可動側係合体６は正面視右から左へ移動する。可動側係合体６が移動すると滑車７はスロープ６３に沿って上昇し、スロープ６３の最上部で停止する。これにより、子テーブル２の子天板２１の天面と親テーブル１の親天板１１の天面は面一となる（図９、図１４及び図１８）。この状態から引手ハンドル３３を引き、親テーブル１と子テーブル２のロック解除状態のまま、子テーブル２を親テーブル１側に押し込み、隙間ｘを詰める。そして、引手ハンドル３３を放せば、浮動球４２が子ロック穴４６と親ロック穴ｄの双方に嵌合して、子テーブル２は、使用最大伸長状態で親テーブル１に固定されると共に、親テーブル１と子テーブル２の天面は面一となる（図４、図１０図１５及び図１８）。
【００３０】
本実施の形態例の伸縮テーブル１０によれば、親テーブル１から引き出され伸長状態にある子テーブル２を引手ハンドル３３の簡単な回転操作で、子テーブル２の天板２１を浮上させることができる。このため、親テーブル１と子テーブル２の天板の天面は面一となり、使い勝手がよくなる。また、同じ引手ハンドル３３の引手の操作により、親テーブル１と子テーブル２を任意の位置においてロックすることができる。また、収納位置でロックすれば、子テーブルを引き出す際の思わぬ事故も回避できる。また、伸長位置でロックすれば、不意の衝撃などにより子テーブルが飛び出すことはなく安全である。
【図面の簡単な説明】
【００３１】
【図１】本実施の形態における伸縮テーブルの縮小状態から天板がリフトされた伸長状態までを説明する、縮小状態の斜視図である。
【図２】本実施の形態における伸縮テーブルの縮小状態から天板がリフトされた伸長状態までを説明する、伸長状態の斜視図である。
【図３】本実施の形態における伸縮テーブルの縮小状態から天板がリフトされた伸長状態までを説明する、天板がリフト状態の斜視図である。
【図４】本実施の形態における伸縮テーブルの縮小状態から天板がリフトされた伸長状態までを説明する、使用最大伸長状態の斜視図である。
【図５】本例の伸縮テーブルの縮小状態から天板がリフトされた伸長状態までを説明する裏側から見た、縮小状態の斜視図である。
【図６】本例の伸縮テーブルの縮小状態から天板がリフトされた伸長状態までを説明する裏側から見た、縮小状態の斜視図である。
【図７】本例の伸縮テーブルの縮小状態から天板がリフトされた伸長状態までを説明する裏側から見た、伸長状態の斜視図である。
【図８】本例の伸縮テーブルの縮小状態から天板がリフトされた伸長状態までを説明する裏側から見た、天板リフト状態の斜視図である。
【図９】本例の伸縮テーブルの縮小状態から天板がリフトされた伸長状態までを説明する裏側から見た、天板リフト状態の斜視図である。
【図１０】本例の伸縮テーブルの縮小状態から天板がリフトされた伸長状態までを説明する裏側から見た、使用最大伸長状態の斜視図である。
【図１１】本例の伸縮テーブルの縮小状態から天板がリフトされた伸長状態までを説明する裏側で後方から前方に向けて見た一部の斜視図である。
【図１２】本例の伸縮テーブルの縮小状態から天板がリフトされた伸長状態までを説明する裏側で後方から前方に向けて見た一部の斜視図である。
【図１３】本例の伸縮テーブルの縮小状態から天板がリフトされた伸長状態までを説明する裏側で後方から前方に向けて見た一部の斜視図である。
【図１４】本例の伸縮テーブルの縮小状態から天板がリフトされた伸長状態までを説明する裏側で後方から前方に向けて見た一部の斜視図である。
【図１５】本例の伸縮テーブルの縮小状態から天板がリフトされた伸長状態までを説明する裏側で後方から前方に向けて見た一部の斜視図である。
【図１６】正面視における子天板の動きを説明する図である。
【図１７】正面視における子天板の動きを説明する図である。
【図１８】正面視における子天板の動きを説明する図である。
【図１９】浮動球がロック位置にある状態を示す図である。
【図２０】図１９の一部を破断して示す図である。
【図２１】浮動球がロック解除位置にある状態を示す図である。
【図２２】縮小状態にある親ロックプレートと子ロックプレートの位置関係を示す図である。
【図２３】使用最大伸長状態にある親ロックプレートと子ロックプレートの位置関係を示す図である。
【図２４】浮動球がロック解除位置にある状態の断面図である。
【図２５】浮動球がロック位置にある状態の断面図である。
【符号の説明】
【００３２】
１      親テーブル
２      子テーブル
３      ロック操作手段
４      ロック係合手段
６      リフト係合手段
７      滑車（固定側係合体）
８ａ    第１後方横部材
８ｂ    第２後方横部材
１０    伸縮テーブル
１１    親天板
１２    ４つの親脚部
２１    子天板
２１ａ  子天板部
２２    子脚部
２３ａ〜２３ｃ    補強用の桟部材
３１    変形縦板
３２    操作棒（操作桿）
３３    引手
４１    親ロックプレート
４２    浮動球
４３    子ロックプレート
４５    親ロック穴
４６    子ロック穴
６１    ラック
６２    ガイド溝
６３    スロープ
【図１】
2006346362.tif 000003
【図２】
2006346362.tif 000004
【図３】
2006346362.tif 000005
【図４】
2006346362.tif 000006
【図５】
2006346362.tif 000007
【図６】
2006346362.tif 000008
【図７】
2006346362.tif 000009
【図８】
2006346362.tif 000010
【図９】
2006346362.tif 000011
【図１０】
2006346362.tif 000012
【図１１】
2006346362.tif 000013
【図１２】
2006346362.tif 000014
【図１３】
2006346362.tif 000015
【図１４】
2006346362.tif 000016
【図１５】
2006346362.tif 000017
【図１６】
2006346362.tif 000018
【図１７】
2006346362.tif 000019
【図１８】
2006346362.tif 000020
【図１９】
2006346362.tif 000021
【図２０】
2006346362.tif 000022
【図２１】
2006346362.tif 000023
【図２２】
2006346362.tif 000024
【図２３】
2006346362.tif 000025
【図２４】
2006346362.tif 000026
【図２５】
2006346362.tif 000027